(57)【特許請求の範囲】
【請求項１】
赤外線を集光し像を結ぶための赤外線レンズと、この赤外線レンズで結像された赤外映像を電気信号に変換する撮像部と、前記赤外線レンズと撮像部を収納するケースと、前記赤外線レンズの赤外線入射側に配置され前記ケースに接合される窓と、この窓の赤外線入射側に配置され前記ケースに着脱自在に装着される高分子材料から成るカバーとを備えたことを特徴とする赤外線カメラ。
【請求項２】
赤外線を集光し像を結ぶための赤外線レンズと、この赤外線レンズで結像された赤外映像を電気信号に変換する撮像部と、前記赤外線レンズと撮像部を収納するケースと、前記赤外線レンズの赤外線入射側に配置され前記ケースに接合される窓とを備え、前記窓はメッシュを高分子材料で覆った複合構造から構成されることを特徴とする赤外線カメラ。
【請求項３】
赤外線を集光し像を結ぶための赤外線レンズと、この赤外線レンズで結像された赤外映像を電気信号に変換する撮像部と、前記赤外線レンズと撮像部を収納するケースと、前記赤外線レンズの赤外線入射側に配置され前記ケースに接合される第１の窓と、この第１の窓の赤外線入射側に配置され前記ケースに着脱自在に装着される第２の窓とを備えたことを特徴とする赤外線カメラ。
【請求項４】
赤外線を集光し像を結ぶための赤外線レンズと、この赤外線レンズで結像された赤外映像を電気信号に変換する撮像部と、前記赤外線レンズと撮像部を収納するケースと、前記赤外線レンズの赤外線入射側に配置され前記ケースに接合される第１の窓と、この第１の窓の赤外線入射側に配置され前記ケースに着脱自在に装着される第２の窓を備え、前記第１の窓と前記第２の窓の空間に吸湿剤を配置することを特徴とする赤外線カメラ。
【請求項５】
赤外線を集光し像を結ぶための赤外線レンズと、この赤外線レンズで結像された赤外映像を電気信号に変換する撮像部と、前記赤外線レンズと撮像部を収納するケースと、前記赤外線レンズの赤外線入射側に配置され前記ケースに着脱自在に接合される窓を備え、前記赤外線レンズが前記ケースに気密的に接合し、前記窓と前記ケースと前記赤外線レンズで包まれる空間を有することを特徴とする赤外線カメラ。
【請求項６】
赤外線を集光し像を結ぶための赤外線レンズと、この赤外線レンズで結像された赤外映像を電気信号に変換する撮像部と、前記赤外線レンズと撮像部を収納するケースと、前記赤外線レンズの赤外線入射側に配置され前記ケースに接合される窓と、この窓を補強するための梁を前記窓と前記赤外線レンズの間に設けられ、前記窓を補強するための梁とを備えたことを特徴とする赤外線カメラ。
【請求項７】
赤外線を集光し像を結ぶための赤外線レンズと、この赤外線レンズで結像された赤外映像を電気信号に変換する撮像部と、前記赤外線レンズと撮像部を収納するケースと、前記赤外線レンズの赤外線入射側に配置され前記ケースに着脱自在に接合される窓と、この窓を前記ケースに固定するための金具と、この金具に装着する前記窓を加熱するためのヒータとを備えたことを特徴とする赤外線カメラ。
【発明の詳細な説明】
【０００１】
【発明の属する技術分野】
この発明は、物体から放射される赤外線を撮像する赤外線カメラに関するものである。
【０００２】
【従来の技術】
図１２は、従来の赤外線カメラを示す図であり、図中１は赤外線を透過するゲルマニウム等の材質から成る窓、２は赤外線を集光し像を結ぶための赤外線レンズ、３は前記赤外線レンズで結像された赤外映像を電気信号に変換する撮像部、４は前記赤外線レンズと前記撮像部を収納するケースであり、前記窓１は前記ケース４に接着もしくはガスケットを用いて気密的に接合されている。
【０００３】
図１２のように構成された従来の赤外線カメラは、屋外で使用する場合、雨、雪の内部への侵入は防止され、前記赤外線レンズ２と前記撮像部３に、雨滴の付着等による影響は無く、正常に動作することができる。
【０００４】
【発明が解決しようとする課題】
従来の赤外線カメラは以上のように構成されているが、前記窓に付着した汚れを拭きとるときに、赤外線カメラケース清掃に用いる研磨粒入りのワックスが付着した布を用いることがあり、前記窓に施した反射防止用の蒸着膜に傷がつくという問題があった。
【０００５】
また上記のような赤外線カメラでは、前記窓に小石が急いよく衝突した場合、前記窓が破損するという問題があった。
【０００６】
さらに上記のような赤外線カメラでは、前記窓は比較的高価なゲルマニウム材から成るため、前記窓に施した反射防止用の蒸着膜に傷がつき交換修理を行う場合の費用が高いという問題があった。
【０００７】
また上記のような赤外線カメラでは、前記窓の材料に廉価な赤外線を透過する性質のあるポリエチレン等の高分子材料を用いる場合、赤外線吸収の影響の無い板厚を選定すると高分子材料の剛性が不足するため、窓に付着した汚れを拭きとるときに加わる力で、窓が変形するという問題があった。
【０００８】
さらに上記のような赤外線カメラでは、前記窓に施した反射防止用の蒸着膜に傷がつき交換修理が必要となった場合、前記ケースから前記窓を取り外すときに、前記ケース内部が周囲雰囲気に暴露されるため、湿気の高い場所での交換作業は好ましくなく、交換作業場所が限定されるという問題があった。
【０００９】
また上記のような赤外線カメラでは、前記窓を二重の構造とした場合、外側の窓の内側に、結露が生じ赤外映像に影響を及ぼすという問題があった。
【００１０】
さらに、上記のような赤外線カメラでは、前記窓を二重の構造とした場合、前記窓が２枚必要となりコストが高くなるという問題があった。
【００１１】
また上記のような赤外線カメラでは、前記窓に付着した汚れを高圧水流により洗浄するときに、前記窓に大きな力が加わり、前記窓が破損するという問題があった。
【００１２】
さらに、上記のような赤外線カメラでは、低温環境時の前記窓の凍結防止用として前記窓の内側にフィルム状ヒータを接着することがあるが、前記窓に施した反射防止用の蒸着膜に傷がつき交換修理が必要になった場合、前記窓及び前記ヒータの交換が必要となり、交換修理の費用が高いという問題があった。
【００１３】
この発明は、このような課題を解決するためのものであり、赤外線を透過する窓の反射防止用の蒸着膜に傷がつきにく、又は交換修理が容易な赤外線カメラを得ることを目的としたものである。
【００１４】
第１の発明による赤外線カメラは、赤外線レンズと撮像部を収納するケースと、前記赤外線レンズの赤外線入射側に配置され前記ケースに接合されるアルカリハライド又はアルカリ土類ハライド又は半導体又はカルコゲナイドガラスから成る第１の層及び高分子材から成る第２の層との積層構造で構成された窓とを備えたものである。
【００１５】
また、第２の発明による赤外線カメラは、赤外線レンズと撮像部を収納するケースと、赤外線レンズの赤外線入射側に配置され、前記ケースに接合された窓と、この窓の赤外線入射側に設けられ、前記ケースに着脱自在に装着されるメッシュとを備えたものである。
【００１６】
第３の発明による赤外線カメラは、窓の赤外線入射側に配置され前記ケースに着脱自在に装着される高分子材料から成るカバーを備えたものである。
【００１７】
また、第４の発明による赤外線カメラは、窓を、メッシュを高分子材料で覆った複合構造から構成したものである。
【００１８】
第５の発明による赤外線カメラは、窓を、赤外線レンズの赤外線入射側に配置され前記ケースに接合される第１の窓と、この第１の窓の赤外線入射側に配置され前記ケースに着脱自在に装着される第２の窓とから構成したものである。
【００１９】
また、第６の発明による赤外線カメラは、第１の窓と第２の窓との間に、吸湿剤を設けたものである。
【００２０】
第７の発明による赤外線カメラは、赤外線レンズがケースに気密的に接合し、前記窓と前記ケースと前記赤外線レンズで包まれる空間を有する。
【００２１】
また、第８の発明による赤外線カメラは、窓を補強するための梁を前記窓と赤外線レンズとの間に設けたものである。
【００２２】
また、第９の発明による赤外線カメラは、窓を固定するための金具と、この窓を加熱するヒータとを設けたものである。
【００２３】
【発明の実施の形態】
実施の形態１．
図１はこの発明の実施の形態１を示す図であり、図において、２は赤外線を集光し像を結ぶための赤外線レンズ、３は前記赤外線レンズで結像された赤外映像を電気信号に変換する撮像部、４は前記赤外線レンズと前記撮像部を収納するケース、５は赤外線の透過率が高い材質であるアルカリハライド又はアルカリ土類ハライド又は半導体又はカルコゲナイドガラスから成る窓の第１層、６は赤外線を透過する性質のあるポリエチレン等の高分子材から成る窓の第２の層である。
【００２４】
前記第１の層５への前記第２の層６の取り付け方は、前記第２の層６の材料を液の状態で前記第１の層５を高速回転させ薄膜にし、昇温して硬化する方式と、粘着性を有するフィルムに加工された前記第２の層６を前記第１の層５に張り付ける方法がある。
【００２５】
赤外線カメラを屋外で使用した場合、長期間使用している間に汚れが付着する。
窓に汚れが付着すると赤外線の赤外線の透過率が低下し画質が劣化するため、汚れを拭きとる必要があるが、前記第２の層６が前記第１の層５の外側に配置されており、拭きとり時に前記第１の層に施した反射防止用の蒸着膜にふれることがないため、蒸着膜に傷がつくことが無い。
【００２６】
実施の形態２．
図２はこの発明の実施の形態２を示す図であり、図において、１は赤外線を透過するゲルマニウム等の材質から成る窓、２は赤外線を集光し像を結ぶための赤外線レンズ、３は前記赤外線レンズで結像された赤外映像を電気信号に変換する撮像部、４は前記赤外線レンズと前記撮像部を収納するケース、７は前記ケース４にねじで着脱自在に装着される金属から成るメッシュである。図３は前記メッシュ７を正面から見た図である。
【００２７】
前記メッシュ７は、赤外線カメラで撮像する画像の明るさへの影響が比較的少なく、赤外線カメラが配置される環境において、存在する小石を通過させない程度の行及び列間隔で配置されたステンレス鋼等の金属線から成る格子を有している。前記メッシュ７が前記窓１の外側に配置されているため、前記窓１への小石の衝突は防止され、前記窓１が破損することは無い。適切な行及び列間隔で配置された前記メッシュ７は、画像を暗くすることなく、小石の前記窓1への衝突を防止できることになる。また前記メッシュ７は、簡単に取り外しができるため、前記窓１と前記メッシュ７の間にゴミが付着した場合も、前記メッシュ7を簡単に取り外し容易に清掃できる。
【００２８】
実施の形態３．
図４は、この発明の実施の形態３を示す図であり、図において１は赤外線を透過するゲルマニウム等の材質から成る窓、２は赤外線を集光し像を結ぶための赤外線レンズ、３は前記赤外線レンズで結像された赤外映像を電気信号に変換する撮像部、４は前記赤外線レンズと前記撮像部を収納するケース、８は前記窓１の赤外線入射側に配置され前記ケースに着脱自在に装着される赤外線を透過する性質のあるポリエチレン等の高分子材で形成されたカバーである。
【００２９】
赤外線カメラを屋外で使用した場合、長期間使用している間に前記カバー８に傷が付き、傷の量が増加すると赤外線の透過率が低下し画質が劣化するため、交換を行う必要があるが、前記カバー８は前記ケース４と簡単に脱着できるようなはめ合い構造であるとめ、交換は容易で、高分子材の形成品から成るための廉価である。
【００３０】
実施の形態４．
図５はこの発明の実施の形態４を示す図であり、図において、１は赤外線を透過するゲルマニウム等の材質から成る窓、２は赤外線を集光し像を結ぶための赤外線レンズ、３は前記赤外線レンズで結像された赤外映像を電気信号に変換する撮像部、４は前記赤外線レンズと前記撮像部を収納するケース、８は前記ケース４にねじで着脱自在に装着される金属から成るメッシュ７と高分子材料部９から構成されるカバーである。図６は前記カバー８を正面から見た図である。
【００３１】
赤外線カメラを屋外で使用した場合、長期間使用している間に前記カバー８に傷が付き、傷の量が増加すると赤外線の透過率が低下し画質が劣化するため、交換を行う必要があるが、前記カバー８は前記ケース４と簡単に脱着できるようなはめ合い構造であるとめ、交換は容易で、高分子材の形成品から成るための廉価である。
【００３２】
前記カバー８は、前記メッシュ７を内蔵するため前記高分子材料部９と比べて剛性が高く、前記カバー８の外面に付着した汚れを拭きとるときに力を加えても前記カバー８は変形及び破損しにくい。
【００３３】
実施の形態５．
図７はこの発明の実施の形態５を示す図であり、図において、２は赤外線を集光し像を結ぶための赤外線レンズ、３は前記赤外線レンズで結像された赤外映像を電気信号に変換する撮像部、４は前記赤外線レンズと前記撮像部を収納するケース、１０は前記ケース４に気密的に接合される第１の窓、１１は前記第１の窓１０の赤外線入射側に配置され、前記ケース４に着脱自在に装着される第２の窓、１２は前記ケース４と前記第２の窓１１を気密的に接合するためのガスケット、１３は前記第２の窓１１を固定するホルダである。
【００３４】
赤外線カメラを屋外で使用した場合、長期間使用している間に前記第2の窓11に傷が付き、傷の量が増加すると赤外線の透過率が低下し画質が劣化するため、交換を行う必要があるが、交換時に前記第２の窓１１を前記ケース４から分離した場合も、前記第１の窓１０と前記ケース４は気密的に結合し密閉空間を保持するため、周囲環境の湿気が赤外線カメラ内部へ侵入することは防止できる。
【００３５】
実施の形態６．
図８はこの発明の実施の形態６を示す図であり、図において、２は赤外線を集光し像を結ぶための赤外線レンズ、３は前記赤外線レンズで結像された赤外映像を電気信号に変換する撮像部、４は前記赤外線レンズと前記撮像部を収納するケース、１０は前記ケース４に気密的に接合される第１の窓、１１は前記第１の窓１０の赤外線入射側に配置され、前記ケース４に着脱自在に装着される第２の窓、１２は前記ケース４と前記第２の窓１１を気密的に接合するためのガスケット、１３は前記第２の窓１１を固定するホルダ、１４は前記第１の窓１０と前記第２の窓１1の間に配置されるシリカゲル等の吸湿剤である。
【００３６】
赤外線カメラを屋外で使用した場合、長期間使用している間に前記第2の窓11に傷が付き、傷の量が増加すると赤外線の透過率が低下し画質が劣化するため、交換を行う必要があるが、交換時に前記第２の窓１１を前記ケース４から分離した場合も、前記第１の窓１０と前記ケース４は気密的に結合し密閉空間を保持するため、周囲環境の湿気が赤外線カメラ内部へ侵入することは防止できる。
【００３７】
前記吸湿剤１４を備えるため、前記第２の窓１１を交換した後に前記第１の窓１０と前記第２の窓１１の間に残留した水分は、前記吸湿剤１４で吸湿されるため、前記第１の窓１０の内側に結露は生じない。
【００３８】
実施の形態７．
図９はこの発明この発明の実施の形態７を示す図であり、図において、１は赤外線を透過するゲルマニウム等の材質から成る窓、２は赤外線を集光し像を結ぶための赤外線レンズ、３は前記赤外線レンズで結像された赤外映像を電気信号に変換する撮像部、４は前記赤外線レンズと前記撮像部を収納するケースである。
【００３９】
前記赤外線レンズ２は例えばパッキンを間に介し前記ケース４に気密的に接合している。
【００４０】
赤外線カメラを屋外で使用した場合、長期間使用している間に前記窓1に傷が付き、傷の量が増加すると赤外線の透過率が低下し画質が劣化するため、交換を行う必要があるが、交換時に前記窓１を前記ケース４から分離した場合も、前記赤外線レンズ２の鏡筒と前記ケース４は気密的に結合し密閉空間を保持するため、周囲環境の湿気が赤外線カメラ内部へ侵入することは防止できる。
【００４１】
実施の形態８．
図１０はこのの実施の形態８を示す図であり、図は赤外線カメラを正面から見たものである。図において１は赤外線を透過するゲルマニウム等の材質から成る窓、４は前記赤外線レンズと前記撮像部を収納するケース、１５は前記窓１を補強するように前記ケース４に装着され、撮像する画像の明るさへの影響が少なくなるように開口を有するアルミニウム等の前記ケース４と同じ材質で構成される梁である。
【００４２】
赤外線カメラを屋外で使用した場合、長期間使用している間に汚れが付着する。
前記窓1に汚れが付着すると赤外線の赤外線の透過率が低下し画質が劣化するため、汚れを拭きとる必要があるが、付着した汚れを拭きとるときに力を加えても、前記窓１は前記梁で支持されており、変形を防止し、破損しにくい。
【００４３】
実施の形態９．
図１１はこの発明の実施の形態９を示す図であり、図において、１は赤外線を透過するゲルマニウム等の材質から成る窓、２は赤外線を集光し像を結ぶための赤外線レンズ、３は前記赤外線レンズで結像された赤外映像を電気信号に変換する撮像部、４は前記赤外線レンズと前記撮像部を収納するケース、１６は前記窓1を前記ケース４に固定するための金具、１７は前記金具１６の上に装着した前記窓１を加熱するための、シリコンラバーに金属線を通し赤外光が通過する領域を遮らないように配置されたテープ状のヒータである。
【００４４】
前記ヒータ１７を加熱することにより、前記窓１の曇りの除去や、付着した雪を融解することができる。
【００４５】
赤外線カメラを屋外で使用した場合、長期間使用している間に前記窓1に傷が付き、傷の量が増加すると赤外線の透過率が低下し画質が劣化するため、交換を行う必要があるが、交換時に、前記金具１６に前記ヒータ１７を装着したまま前記窓1を固定していた前記金具１６を前記ケース４からねじを外すことで分離でき、前記窓１を単独で容易に取り外せるため、前記窓1のみを交換すればよく、前記ヒータ１７の交換は不要である。
【００４６】
【発明の効果】
第１の発明によれば、窓に付着した汚れを拭きとるときに、窓に施した反射防止用の膜に触れない構造のため、当該膜に傷が付くことがない。
【００４７】
また、第２の発明によれば、窓への小石の衝突は防止され、窓が破損することがない。
【００４８】
第３の発明によれば、傷が付いた場合、高分子材で形成されたカバーを交換するだけでよく、交換修理費用を低減できる。
【００４９】
また、第４の発明によれば、高強度で破損しにくい廉価な窓を得ることができる。
【００５０】
第５の発明によれば、交換場所の雰囲気を限定することなく窓を交換することのできる構造を得ることができる。
【００５１】
また、第６の発明によれば、交換場所の雰囲気を限定することなく窓を得ることができ、かつ窓内面の結露を防止することができる。
【００５２】
第７の発明によれば、窓を１枚しか用いない廉価な構造かつ交換場所の雰囲気を限定することなく窓を得ることができる。
【００５３】
また、第８の発明によれば、窓を破損しにくい構造を得ることができる。
【００５４】
第９の発明によれば、曇り除去や雪融解を行えるヒータを有しかつ窓を交換容易な構造を得ることができる。
【図面の簡単な説明】
【図１】  この発明による赤外線カメラの実施の形態１を示す図である。
【図２】  この発明による赤外線カメラの実施の形態２を示す図である。
【図３】  この発明による赤外線カメラの実施の形態2を示す部品図である。
【図４】  この発明による赤外線カメラの実施の形態3を示す図である。
【図５】  この発明による赤外線カメラの実施の形態4を示す図である。
【図６】  この発明による赤外線カメラの実施の形態4を示す部品図である。
【図７】  この発明による赤外線カメラの実施の形態5を示す図である。
【図８】  この発明による赤外線カメラの実施の形態6を示す図である。
【図９】  この発明による赤外線カメラの実施の形態7を示す図である。
【図１０】  この発明による赤外線カメラの実施の形態8を示す図である。
【図１１】  この発明による赤外線カメラの実施の形態9を示す図である。
【図１２】  従来の赤外線カメラを示す図である。
【符号の説明】
１  窓、２  赤外線レンズ、３  撮像部、４  ケース、５  第１の層、６  第２の層、７  メッシュ、８  カバー、９  高分子材料部、１０  第１の窓、１１第２の窓、１２  ガスケット、１３  ホルダ、１４  吸湿剤、１５  梁、１６金具、１７  ヒータ。
【図１】
0003788124.tif 000002
【図２】
0003788124.tif 000003
【図３】
0003788124.tif 000004
【図４】
0003788124.tif 000005
【図５】
0003788124.tif 000006
【図６】
0003788124.tif 000007
【図７】
0003788124.tif 000008
【図８】
0003788124.tif 000009
【図９】
0003788124.tif 000010
【図１０】
0003788124.tif 000011
【図１１】
0003788124.tif 000012
【図１２】
0003788124.tif 000013